(57)【特許請求の範囲】
【請求項１】
面発光体が装着された複数の平板状フレームが互いに環状に連結されることにより形成された第１口径の発光部と、前記第１口径の発光部を形成する前記各フレームの周囲に外接するようにして取り付けられ、面発光体が装着された複数の平板状フレームが互いに環状に連結されることにより形成された第２口径の発光部と、を少なくとも含む複数の口径の発光部が具備されていることを特徴とする照明装置。
【請求項２】
前記各口径の発光部を形成する各フレームにおける面発光体側が、ドーム状を形成するように構成されていることを特徴とする請求項１に記載された照明装置。
【請求項３】
前記各口径の発光部を構成するフレームの数が、各口径の発光部においてそれぞれ同一数に設定されていることを特徴とする請求項１または請求項２に記載された照明装置。
【請求項４】
第１〜第３口径の発光部により構成され、各口径の発光部を形成する前記各フレームがそれぞれ正方形状になされ、各フレームの対向する隅角部同士が環状に連結されることにより、前記第１〜第３口径の発光部がそれぞれ形成されていることを特徴とする請求項１ないし請求項３のいずれか１項に記載された照明装置。
【請求項５】
前記面発光体が有機ＥＬ素子により構成されていることを特徴とする請求項１ないし請求項４のいずれか１項に記載された照明装置。
【発明の詳細な説明】
【技術分野】
【０００１】
この発明は、例えば有機ＥＬ（エレクトロルミネッセンス）素子に代表される面発光光源を用いた照明装置に関する。
【背景技術】
【０００２】
有機ＥＬ素子は直流の低電圧により駆動されることで高い発光効率を有し、軽量かつ薄型化が可能であると共に、ほとんど発熱がないという特質を有している。したがって、一部の携帯型機器などにおけるフラットパネルディスプレイ（ＦＰＤ）に利用されており、また同素子を面発光源として、例えば液晶表示素子のバックライトとして利用する形態のものも提供されている。
【０００３】
また、前記有機ＥＬ素子はＥＬ発光層に用いる素材の選択により、Ｒ（赤）、Ｇ（緑）、Ｂ（青）やその他の発光色を得ることができ、したがって前記した各発光色を単独で、または二種以上の発光色を組み合わせることにより、白色もしくはこれに近い発光色を得ることも可能となる。それ故、有機ＥＬ素子を面発光源（発光パネル）として構成することで、例えば装飾用の光源や、室内等を照明する高効率な光源として利用することができる。
【０００４】
前記した有機ＥＬ素子を利用して、これを円形もしくはリング状の面発光体に成形して天井取り付け型の照明装置としたものが、次に示す特許文献１に開示されている。
【特許文献１】特開２００７−１７３４２４号公報
【発明の開示】
【発明が解決しようとする課題】
【０００５】
ところで、前記した特許文献１に開示された照明装置によると、前記した有機ＥＬ素子の特質を生かし、外枠をなくして縁部まで発光する照明装置を提供することを課題としているものである。
【０００６】
このために照明装置の中央部には、天井部に取り付けられた引っ掛けシーリングに嵌着される係合部が設けられている。そして特許文献１には、リング状に形成された有機ＥＬ素子による発光部は、単一のリング状であっても、狭幅の複数のリング状に分割されていてもよく、さらには中心から放射状に伸びるように発光部が形成されていてもよいと記載されている。
【０００７】
しかしながら、前記した照明装置においては、平坦な発光面において、その発光パターンに工夫を施す点を示唆するにとどまり、前記した発光パターンの工夫の範囲においては、依然としてアクセントのない立体感に欠ける単調なものとなる。したがって、照明に華やかな演出効果等を引き出させることは不可能である。
【０００８】
この発明は、前記した問題点に着目してなされたものであり、有機ＥＬ素子に代表される多数の面発光体を特定な形態に配列することにより、高級感ならびに立体感が得られ、いわばシャンデリアのような雰囲気を持つインテリア性を華やかに引き出すことができる照明装置を提供することを課題とするものである。
【課題を解決するための手段】
【０００９】
前記した課題を解決するためになされたこの発明にかかる照明装置は、面発光体が装着された複数の平板状フレームが互いに環状に連結されることにより形成された第１口径の発光部と、前記第１口径の発光部を形成する前記各フレームの周囲に外接するようにして取り付けられ、面発光体が装着された複数の平板状フレームが互いに環状に連結されることにより形成された第２口径の発光部と、を少なくとも含む複数の口径の発光部が具備されている点に特徴を有する。
【００１０】
この場合、前記各口径の発光部を形成する各フレームにおける面発光体側が、ドーム状を形成するように構成されていることが望ましい。また、好ましくはそれぞれの口径の発光部を構成するフレームの数が、各口径の発光部においてそれぞれ同一数に設定された構成になされる。
【００１１】
そして、好ましい実施の形態においては、第１〜第３口径の発光部により構成され、各口径の発光部を形成する前記各フレームがそれぞれ正方形状になされ、各フレームの対向する隅角部同士が環状に連結されることにより、前記第１〜第３口径の発光部がそれぞれ形成された構成にされる。そして、前記した各平板状フレームの一方の面に装着される面発光体は、有機ＥＬ素子により構成されていることが望ましい。
【発明の効果】
【００１２】
前記した照明装置によると、面発光体が装着された平板状のフレームが互いに環状に連結されることにより１つの口径の発光部が形成され、同様に他の口径の複数の発光部がいわば同心円状に形成された構成にされる。したがって、前記各口径の発光部を構成する平板状のフレームとして例えばステンレスプレートを用い、ヘアーライン加工などの装飾加工を加えることで、高級感ならびに重厚感を備えたいわばシャンデリアのような雰囲気を持った照明装置を提供することができる。
【００１３】
加えて各フレームにおける面発光体の装着面が、ドーム状を形成するように配置されることで、より立体感を醸し出すことができ、華やかなインテリア性と共に良好な演出効果や雰囲気作りを図ることができる照明装置に仕上げることができる。
【００１４】
そして、前記した各フレームに装着される面発光体として有機ＥＬ素子を用いることで、低電圧の駆動電源により発熱を伴うことなく高い発光効率を得ることができ、従来からの蛍光灯や電球等を用いた照明装置のイメージに比較して卓越した装飾効果を得ることができる照明装置が実現できる。
【発明を実施するための最良の形態】
【００１５】
以下、この発明にかかる照明装置について、図に示す実施の形態に基づいて説明する。図１〜図４はこの発明にかかる照明装置について、天井吊り下げ型に適用した場合の全体構成を示したものであり、図１は正面図で、図２は斜め下方から視た状態の斜視図で、図３は底面図で、さらに図４は上面図で示している。
【００１６】
以下においては、同一部分を同一符号で示した各部の構成について、符号を引用してそれぞれ説明する。なお、以下に説明する各図においては、繁雑になるのを避けるため、それぞれ代表される各部のみを符号で示し、また図に応じて符号の一部を適宜省略した状態で示している。
【００１７】
符号１はこの発明にかかる照明装置を示し、この照明装置は図１に示したように天井面（図示せず）に一端が取り付けられた三本のワイヤー９によって吊り下げられる。この照明装置１は、面発光体が装着された複数の平板状フレームが互いに環状に連結されることにより形成された各口径の発光部が、同心円状に連結されるように構成されている。
【００１８】
すなわち、この実施の形態においては第１〜第３の口径の発光部が、同心円状に連結されることにより構成されており、符号２は最内周における第１口径の発光部を構成する平板状のフレームの１つを示している。また符号３は前記した第１口径の発光部の外側に形成された第２口径の発光部を構成する平板状のフレームの１つを示しており、さらに符号４は前記した第２口径の発光部のさらに外側に形成された第３口径の発光部を構成する平板状のフレームの１つを示している。
【００１９】
前記第１〜第３の口径の発光部を構成するそれぞれのフレームの外形形状は、ほぼ正方形になされており、第１〜第３口径の発光部においては、同一数である１２のフレームがそれぞれ用いられている。したがって最内周である第１口径の発光部を構成するフレーム２は、その外形形状が最小になされ、第２および第３口径の発光部を構成する各フレーム３，４はその外形形状は順次大きくなるように成形されている。
【００２０】
また、第１口径の発光部を構成するそれぞれのフレーム２は、対向する隅角部同士が環状に連結されることにより、前記第１口径の発光部が形成されている。また第２口径の発光部を構成するそれぞれのフレーム３は、対向する隅角部同士が同じく環状に連結されることにより、前記第２口径の発光部が形成され、かつこれらフレーム３は、第１口径の発光部を形成する前記各フレーム２の周囲に外接するようにして、対向するフレーム２，３の隅角部においてそれぞれ連結されている。
【００２１】
さらに、第３口径の発光部を構成するそれぞれのフレーム４は、対向する隅角部同士が同じく環状に連結されることにより、前記第３口径の発光部が形成され、かつこれらフレーム４は、第２口径の発光部を形成する前記各フレーム３の周囲に外接するようにして、対向するフレーム３，４の隅角部においてそれぞれ連結されている。
【００２２】
そして、前記各口径の発光部を構成する各フレーム２，３，４における後述する面発光体５，６，７側が、ドーム状を形成するように構成されている。すなわち、図１に示すように照明装置１を吊り下げた場合に、照明装置の中央部側が下側に向かって緩やかに突出する形態になされている。なお、図４に示す符号８は、図１に示した三本のワイヤー９の取り付け部を示している。
【００２３】
図５および図６は、前記した各フレーム２，３，４に対する面発光体５，６，７の装着例を説明するものである。この実施の形態においては図５に示すように、前記した第１〜第３口径の発光部を形成する各１つのフレーム２，３，４の連結体により１ユニットが構成されている。すなわち図５に示す連結体を１２ユニット用意し、これらを環状に連結することにより、図１〜図４に示した形態の照明装置が形成されることになる。
【００２４】
図５に示すように、１ユニットを構成する各フレーム２，３，４には、ステンレスプレートが用いられ、これに例えばヘアーライン加工等の装飾加工が施されている。そして各フレーム２，３，４には、それぞれにほぼ正方形に形成された窓孔２ａ，３ａ，４ａが形成され、その裏面より面発光体５，６，７として機能するが有機ＥＬ素子の発光面が、前記窓孔２ａ，３ａ，４ａに臨むようにして取り付けられている。これにより、前記面発光体５，６，７の発光面が各窓孔２ａ，３ａ，４ａにおいて額縁を形成するようにして取り付けられている。
【００２５】
そして、図５に示すＡ−Ａ線において切断した状態の前記１ユニットの断面図が図６にＢとして示されている。図６にＢとして示したように第１口径の発光部を形成するフレーム２を基準にして、第２口径の発光部を形成するフレーム３は、１５度前後屈曲されており、また第３口径の発光部を形成するフレーム４は、さらに同方向に１５度前後屈曲されている。これにより、前記したとおり、各フレーム２，３，４における面発光体５，６，７側が、ドーム状を形成するように構成されている。
【００２６】
なお、図６には各フレーム２，３，４と、その裏面に装着される面発光体５，６，７との関係が示されている。前記面発光体５，６，７としては望ましくは有機ＥＬ素子が用いられる。有機ＥＬ素子は周知のとおり、透明な基板面にＩＴＯ等からなる透明電極が例えばスパッタリング法により成膜される。その上に有機材料による発光機能層、およびアルミニウム等の素材を主体とした金属製の背面電極が例えば真空蒸着法を利用して成膜することで形成することができる。
【００２７】
この構成による有機ＥＬ素子によると、前記発光機能層からの光は前記透明電極および透明素材による基板を介して外部に導出されるようになされる。また有機ＥＬ素子の発光色は、一般的に白色が好ましいが、発光機能層の材料を選択することで好みに応じて種々の発光色を採用できる。
【００２８】
前記した構成によると、第１〜第３口径の発光部を構成するそれぞれの面発光体５，６，７は、大小３６で構成されており、したがって各口径毎に点灯させたり、１つの口径の発光部においても間欠的に点灯させるなど、点滅動作も加えて多彩な点灯動作を実現することができる。
【００２９】
以上の説明で明らかなとおり、この発明にかかる照明装置によると、面発光体が装着された平板状のフレームが互いに環状に連結されることにより１つの口径の発光部が形成され、同様に他の口径の複数の発光部がいわば同心円状に形成された構成にされているので、従来からの蛍光灯や電球等を用いた照明装置のイメージに比較して卓越した装飾効果を得ることができるなど、前記した発明の効果の欄に記載した作用効果を得ることができる。
【００３０】
なお、以上説明した実施の形態においては、第１〜第３口径の発光部を構成するそれぞれの平板状フレームおよび面発光体は、いずれも正方形により構成されているが、これらの形状は例えば円形やその他の形状に形成することもでき、同様の作用効果を得ることができる。また実施の形態においては、環状に連結された発光部が異なった３つの口径に形成されているが、この口径数についても任意に設定することができる。
【００３１】
さらに、この発明にかかる照明装置においては、面発光体として望ましくは有機ＥＬ素子が用いられるが、これ以外に、無機ＥＬ素子などの面発光素子を利用することも可能である。
【図面の簡単な説明】
【００３２】
【図１】この発明にかかる照明装置を吊り下げ型に適用した状態の正面図である。
【図２】同じく斜め下方から視た状態の斜視図である。
【図３】同じく底面図である。
【図４】同じく上面図である。
【図５】平板状の各フレームをユニット化した例を示す正面図である。
【図６】ユニット化した各フレームに対する面発光体の装着例を説明する構成図である。
【符号の説明】
【００３３】
１          照明装置
２〜４      フレーム
２ａ〜４ａ  窓孔
５〜７      面発光体（有機ＥＬ素子）
９          吊り下げ用ワイヤー
【図１】
0004450331.tif 000002
【図２】
0004450331.tif 000003
【図３】
0004450331.tif 000004
【図４】
0004450331.tif 000005
【図５】
0004450331.tif 000006
【図６】
0004450331.tif 000007